(57)【要約】      （修正有）【課題】鍵の支点の位置を異ならせてアコースティックピアノの鍵盤装置の鍵タッチ感及び外観を模擬した電子楽器の鍵盤装置を提供する。【解決手段】複数の白鍵１１ｗ及び黒鍵と、複数の白鍵１１ｗ及び黒鍵に係合する複数のハンマー１６ｗ及びハンマーを設ける。白鍵同士又は黒鍵同士である第１の鍵及び第２の鍵の駆動部の上下方向の長さを共通とする。第１の鍵に係合している第１のハンマーのハンマー支点部の前後方向の位置と、第２の鍵に係合している第２のハンマーのハンマー支点部の前後方向の位置とを共通とする。第１の鍵の操作部の前端から鍵支点部までの距離及び第２の鍵の操作部の前端から鍵支点部までの距離に応じて、第１のハンマーのハンマー支点部の上下方向の位置及び第２のハンマーのハンマー支点部の上下方向の位置をそれぞれ設定する。【選択図】図２
2014010375.tif 000002
【特許請求の範囲】
【請求項１】
演奏者の押離鍵操作によって前端が上下方向に揺動するように鍵支点部にてそれぞれ支持され、側面と上面との交差部にて前後方向に延びる稜線が形成されている複数の白鍵、及び下側の側面と前記下側の側面に対して内側に傾斜した上側の側面との交差部にて前後方向に延びる稜線が形成されている複数の黒鍵であって、前記押離鍵操作される操作部と、下方へ延設された駆動部をそれぞれ有していて、前記操作部の前端から前記鍵支点部までの距離を互いに異ならせた複数の白鍵及び複数の黒鍵と、
前記複数の白鍵及び複数の黒鍵の駆動部に係合していて、前記複数の白鍵及び複数の黒鍵の揺動に連動して揺動するようにハンマー支点部にてそれぞれ支持された複数のハンマーと、
前記複数のハンマーの揺動を規制して、前記複数の白鍵及び複数の黒鍵の揺動範囲を規定する規制部材とを備えた鍵盤装置において、
前記複数の白鍵及び複数の黒鍵のうちの白鍵同士又は黒鍵同士である第１の鍵及び第２の鍵の駆動部の上下方向の長さを共通とし、
前記第１の鍵及び前記第２の鍵の離鍵状態において前記第１の鍵及び前記第２の鍵の操作部の前端の上下方向の位置が同一となるように、前記第１の鍵に係合している第１のハンマーのハンマー支点部の上下方向の位置及び前記第２の鍵に係合している第２のハンマーのハンマー支点部の上下方向の位置を、前記第１の鍵の操作部の前端から鍵支点部までの距離及び前記第２の鍵の操作部の前端から鍵支点部までの距離に応じた位置にそれぞれ設定したことを特徴とする電子楽器の鍵盤装置。
【請求項２】
請求項１に記載の電子楽器の鍵盤装置において、
前記第１の鍵及び前記第２の鍵の駆動部は、前記第１の鍵及び前記第２の鍵の操作部の前端よりも後方にそれぞれ設けられ、
前記第１の鍵の操作部の前端から鍵支点部までの距離は、前記第２の鍵の操作部の前端から鍵支点部までの距離よりも長く、
前記第１のハンマーのハンマー支点部は、前記第２のハンマーのハンマー支点部よりも上方に位置していることを特徴とする電子楽器の鍵盤装置。
【請求項３】
請求項１に記載の電子楽器の鍵盤装置において、
前記第１の鍵及び前記第２の鍵の駆動部は、前記第１の鍵及び前記第２の鍵の操作部の前端よりも前方にそれぞれ設けられ、
前記第１の鍵の操作部の前端から鍵支点部までの距離は、前記第２の鍵の操作部の前端から鍵支点部までの距離よりも長く、
前記第１のハンマーのハンマー支点部は、前記第２のハンマーのハンマー支点部よりも下方に位置していることを特徴とする電子楽器の鍵盤装置。
【請求項４】
請求項１乃至３のうちのいずれか１つに記載の電子楽器の鍵盤装置において、
前記第１の鍵の稜線を含む平面と前記第１の鍵の鍵支点部との距離を、前記第２の鍵の稜線を含む平面と前記第２の鍵の鍵支点部との距離と同一にしたことを特徴とする電子楽器の鍵盤装置。
【請求項５】
請求項１乃至４のうちのいずれか１つに記載の電子楽器の鍵盤装置において、
前記第１の鍵及び前記第２の鍵の鍵支点部の上下方向の位置を同一としたことを特徴とする電子楽器の鍵盤装置。
【請求項６】
請求項１乃至５のうちのいずれか１つに記載の電子楽器の鍵盤装置において、
前記第１の鍵及び前記第２の鍵は、隣接する白鍵であって、
前記第１の鍵、前記第２の鍵、及び前記第１の鍵と前記第２の鍵との間に位置する黒鍵の離鍵状態において、前記黒鍵の稜線が、前記第１の鍵の上面と前記第２の鍵の上面の間に位置していることを特徴とする電子楽器の鍵盤装置。
【請求項７】
請求項１乃至６のうちのいずれか１つに記載の電子楽器の鍵盤装置において、
前記第１の鍵及び前記第２の鍵は、隣接する白鍵であって、
前記第１の鍵、前記第２の鍵、及び前記第１の鍵と前記第２の鍵との間に位置する黒鍵が押鍵されて、前記第１の鍵、前記第２の鍵及び前記黒鍵の揺動が規制された状態において、前記黒鍵の稜線が、前記第１の鍵の上面及び前記第２の鍵の上面よりも下方に位置していることを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、アコースティックピアノの鍵タッチ感（押離鍵操作に対する反力）を模擬するために、割り当てられた音高が高い鍵ほど、鍵の前端の鍵タッチ感を軽くした電子楽器の鍵盤装置は知られている。この鍵盤装置においては、鍵にそれぞれ係合して揺動し、それぞれの鍵の押離鍵操作に対する反力を付与する複数のハンマーを備えている。この複数のハンマーは、共通部品である。そして、低音部の鍵から高音部の鍵に向かうに従って、後端部に設けられた鍵の回動支点から鍵の前端までの長さを徐々に長くしている。また、低音部から高音部へ向かうに従って、ハンマーの回動支点の位置を徐々に後方へずらして、鍵の回動支点から、ハンマーと鍵との係合位置までの距離を全ての鍵について同一にしている。
【先行技術文献】
【特許文献】
【０００３】
【特許文献１】特許３０７４７９４号公報
【発明の概要】
【０００４】
上記従来の鍵盤装置は、鍵の上方への変位を規制する上限ストッパが鍵の前端（演奏者側の端部）より後方に設けられている。そして、鍵の下面から下方へ延設された係合部が上限ストッパに当接する。また、離鍵状態では、鍵は前端側よりも後端側が低くなるように傾斜している。したがって、前記係合部の上下方向の長さが複数の鍵について共通であれば、離鍵状態では、前記複数の鍵の上面のうち、上限ストッパの当接点の直上付近に位置する部分の高さが同一となる。そして、短い鍵ほど離鍵状態における鍵の傾斜角度が大きいので、前記複数の鍵のうちの短い鍵ほど、その前端の位置が高い。このように、上記従来の鍵盤装置では、その外観については考慮されていない。
【０００５】
また、上記従来の鍵盤装置は、鍵の上方への変位を規制する下限ストッパも、鍵の前端よりも後方に設けられている。そして、前記係合部の下面が下限ストッパに当接する。したがって、前記複数の鍵のうちの短い鍵ほど、鍵の前端の揺動範囲が大きい。また、ハンマーは、前記係合部よりも後方にて鍵に係合している。そして、短い鍵のハンマーほどその支点部が前記係合部に近い。そのため、短い鍵に係合するハンマーほど、離鍵状態において鍵に当接する位置が高い。したがって、短い鍵に係合するハンマーほど、鍵に連動して揺動する範囲が大きい。上記従来の鍵盤装置では、ハンマーが鍵から離れて揺動可能であるが、上記のように、ハンマーが鍵の揺動に連動して揺動する範囲が、係合する鍵の長さによって異なるので、ハンマーが鍵から離れるタイミング（又は、押鍵深さ）は鍵の長さによって異なる。このハンマーが鍵から離れるタイミングの違いは、鍵タッチ感に影響を与えると考えられるが、上記従来の鍵盤装置では、この点については考慮されていない。
【０００６】
本発明は上記従来の鍵盤装置の問題のうち、特に鍵盤装置の外観に関する問題を解決するためになされたものである。すなわち、本発明の目的は、鍵の支点の位置を異ならせてアコースティックピアノの鍵盤装置の鍵タッチ感及び外観を模擬した電子楽器の鍵盤装置を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００７】
前記目的を達成するため、本発明の特徴は、演奏者の押離鍵操作によって前端が上下方向に揺動するように鍵支点部（Ｋｗ，１３ｗ１，Ｋｂ，１３ｂ１）にてそれぞれ支持され、側面と上面との交差部にて前後方向に延びる稜線が形成されている複数の白鍵、及び下側の側面と前記下側の側面に対して内側に傾斜した上側の側面との交差部にて前後方向に延びる稜線が形成されている複数の黒鍵であって、前記押離鍵操作される操作部と、下方へ延設された駆動部（１１ｗ１，１１ｂ１）をそれぞれ有していて、操作部の前端から鍵支点部までの距離を互いに異ならせた複数の白鍵及び複数の黒鍵（１１ｗ，１１ｂ）と、前記複数の白鍵及び複数の黒鍵の駆動部に係合していて、前記複数の白鍵及び複数の黒鍵の揺動に連動して揺動するようにハンマー支点部（Ｈｗ，１８ｗ１，Ｈｂ，１８ｂ１）にてそれぞれ支持された複数のハンマー（１６ｗ，１６ｂ）と、前記複数のハンマーの揺動を規制して、前記複数の白鍵及び複数の黒鍵の揺動範囲を規定する規制部材（２０，２１）とを備えた鍵盤装置において、前記複数の白鍵及び複数の黒鍵のうちの白鍵同士又は黒鍵同士である第１の鍵及び第２の鍵の駆動部の上下方向の長さを共通とし、第１の鍵及び第２の鍵の離鍵状態において第１の鍵及び第２の鍵の操作部の前端の上下方向の位置が同一となるように、第１の鍵に係合している第１のハンマーのハンマー支点部の上下方向の位置及び第２の鍵に係合している第２のハンマーのハンマー支点部の上下方向の位置を、第１の鍵の操作部の前端から鍵支点部までの距離及び第２の鍵の操作部の前端から鍵支点部までの距離に応じた位置にそれぞれ設定したことにある。なお、規制部材によってハンマーを制動する制動力が、鍵とハンマーとの係合部を介して伝達されている状態においては、実質的にハンマーの規制部材によって、鍵の揺動が規制されている状態とみなす。また、離鍵状態とは、鍵の操作部の前端の上方への変位が規制されている状態である。
【０００８】
この場合、第１の鍵及び第２の鍵の駆動部は、第１の鍵及び第２の鍵の操作部の前端よりも後方にそれぞれ設けられ、第１の鍵の操作部の前端から鍵支点部までの距離は、第２の鍵の操作部の前端から鍵支点部までの距離よりも長く、第１のハンマーのハンマー支点部は、第２のハンマーのハンマー支点部よりも上方に位置しているとよい。
【０００９】
また、この場合、第１の鍵及び第２の鍵の駆動部は、第１の鍵及び第２の鍵の操作部の前端よりも前方にそれぞれ設けられ、第１の鍵の操作部の前端から鍵支点部までの距離は、第２の鍵の操作部の前端から鍵支点部までの距離よりも長く、第１のハンマーのハンマー支点部は、第２のハンマーのハンマー支点部よりも下方に位置しているとよい。
【００１０】
また、この場合、第１の鍵及び第２の鍵は、隣接する白鍵であって、第１の鍵、第２の鍵、及び第１の鍵と第２の鍵との間に位置する黒鍵の離鍵状態において、黒鍵の稜線が、第１の鍵の上面と第２の鍵の上面の間に位置しているとよい。
【００１１】
また、この場合、第１の鍵及び第２の鍵は、隣接する白鍵であって、第１の鍵、第２の鍵、及び第１の鍵と第２の鍵との間に位置する黒鍵が押鍵されて、第１の鍵、第２の鍵及び黒鍵の揺動が規制された状態において、黒鍵の稜線が、第１の鍵の上面及び第２の鍵の上面よりも下方に位置しているとよい。なお、上記の揺動が規制された状態とは、例えば、白鍵の前端部と黒鍵の前端部に同一の荷重を印加して、鍵の揺動が規制されている状態である。また、本発明には、黒鍵の稜線のうちの前端側の一部分が、第１の鍵の上面及び第２の鍵の上面よりも下方に位置している場合も含まれる。
【００１２】
本発明によれば、鍵の長さに応じて、ハンマー支点部の上下方向の位置を設定することにより、離鍵状態における鍵とハンマーとが係合する係合点の上下方向の位置を異ならせて、離鍵状態における第１の鍵及び第２の鍵の前端の高さを揃えることができる。これにより、離鍵状態におけるアコースティックピアノの鍵盤装置の外観を模擬できる。
【００１３】
また、本発明の他の特徴は、第１の鍵の稜線を含む平面と第１の鍵の鍵支点部との距離を、第２の鍵の稜線を含む平面と第２の鍵の鍵支点部との距離と同一にしたことにある。この場合、第１の鍵及び第２の鍵の鍵支点部の上下方向の位置を同一にするとよい。これによれば、鍵の長さ以外に関する部位を出来るだけ共通化することができる。また、鍵を支持する支持部材（フレーム）の設計が簡単である。また、支持部材を加工し易く、精度を向上させることができる。
【図面の簡単な説明】
【００１４】
【図１】本発明の一実施形態に係る鍵盤装置の平面図である。
【図２】図１の鍵盤装置の低音部側の白鍵に関する構成を示す右側面図である。
【図３】図１の鍵盤装置の高音部側の白鍵に関する構成を示す右側面図である。
【図４】図１の鍵盤装置の低音部側の黒鍵に関する構成を示す右側面図である。
【図５】図１の鍵盤装置の高音部側の黒鍵に関する構成を示す右側面図である。
【図６】音高と質量体の質量との関係を示す特性曲線図である。
【図７】音高と鍵タッチとの関係を示す特性曲線図である。
【発明を実施するための形態】
【００１５】
以下、本発明の一実施形態について図面を用いて説明する。以下の説明では、演奏者に近い側を「前側」とし、演奏者から遠い側を「後側」とする。また、高音部側を「右側」とし、低音部側を「左側」とする。
【００１６】
この鍵盤装置は、図１に示すように、複数の白鍵１１ｗ及び複数の黒鍵１１ｂを有している。この複数の白鍵１１ｗ及び複数の黒鍵１１ｂには、互いに異なる音高がそれぞれ割り当てられている。本実施形態においては、白鍵１１ｗには、「Ｃ３」、「Ｄ３」・・・「Ｃ６」のうちのいずれか１つの音高がそれぞれ割り当てられており、黒鍵１１ｂには、「Ｃ＃３」、「Ｄ＃３」・・・「Ｂ＃５」のうちのいずれか１つの音高がそれぞれ割り当てられている。白鍵１１ｗ及び黒鍵１１ｂは、それぞれ合成樹脂によって長尺状に一体成型されている。低音部の白鍵１１ｗから高音部の白鍵１１ｗに向かうに従って、白鍵１１ｗの長さを徐々に短くし、低音部の黒鍵１１ｂから高音部の黒鍵１１ｂに向かうに従って、黒鍵１１ｂの長さを徐々に短くしている。なお、黒鍵１１ｂの後端の位置は、隣り合う白鍵１１ｗの後端よりも後方に位置している。
【００１７】
割り当てられた音高が異なる白鍵１１ｗは、前後方向の長さが異なっているが、他の構成は同様である。また、割り当てられた音高が異なる黒鍵１１ｂは、前後方向の長さが異なっているが、他の構成は同様である。図２乃至図５に示すように、白鍵１１ｗは、黒鍵１１ｂに比べて、上下方向の幅が小さく、左右方向の幅が大きい。白鍵１１ｗ及び黒鍵１１ｂは、前後方向に延設された薄肉の上壁及び上壁の左右端からそれぞれ下方へ延設された薄肉の側壁を有し、下方に開放した中空状に形成されている。
【００１８】
また、白鍵１１ｗ及び黒鍵１１ｂの側壁の後部には、それぞれ対向する貫通孔Ｋｗ及び貫通孔Ｋｂが設けられている。貫通孔Ｋｗ及び貫通孔Ｋｂから、それぞれの鍵の後端までの距離は、全ての鍵について同一である。そして、白鍵１１ｗ及び黒鍵１１ｂは、貫通孔Ｋｗ及び貫通孔Ｋｂにて、後述する鍵フレーム１２の鍵支持部１３ｗ及び鍵支持部１３ｂによって支持されている。離鍵状態において、白鍵１１ｗ及び黒鍵１１ｂは、前端よりも後端が低くなるように傾斜している。なお、この鍵盤装置が電子楽器の筐体に組み付けられたとき、白鍵１１ｗの後端部は、電子楽器の筐体の内側に入り込んでいる。この筐体の内側に入り込む部分よりも前方の部分を白鍵１１ｗの見え掛り部と言う。また、白鍵１１ｗの側面と上面とが交差する部分には稜線が形成されている。また、黒鍵１１ｂが押鍵されておらず、かつ隣り合う白鍵１１ｗが押鍵されていない状態において、前記黒鍵１１ｂは、前記白鍵１１ｗの上面よりも上方に突出した部分を有する。この突出した部分を黒鍵１１ｂの見え掛り部という。また、黒鍵１１ｂの見え掛り部よりも下方の部分を本体部という。演奏者は、白鍵１１ｗ及び黒鍵１１ｂの見え掛り部を押離鍵操作する。すなわち、見え掛り部が本発明の操作部に相当する。黒鍵１１ｂの見え掛り部は、上端部ほど左右方向の幅が狭くなっており、本体部の左右方向の幅は一定である。すなわち、見え掛り部の側面は、本体部の側面に対して内側に傾斜している。黒鍵１１ｂの見え掛り部と本体部の境界部には、稜線Ｒが形成されている（図４及び図５参照）。
【００１９】
鍵フレーム１２は、前後方向及び左右方向に延設された上板部１２ａを有する。上板部１２ａの低音部側の前端と高音部側の前端の位置は同一であるが、低音部側の後端は、高音部側の後端よりも後方に位置している。また、鍵フレーム１２は、上板部１２ａの前端から下方へ垂直に延設された前板部１２ｂ、前板部１２ｂの下端から前方へ水平に延設された底板部１２ｃ、底板部１２ｃの前端から上方へ垂直に延設された前板部１２ｄを有する。また、鍵フレーム１２は、上板部１２ａの後端から下方へ垂直に延設された後板部１２ｅ及び後板部１２ｅの下端から後方へ水平に延設された底板部１２ｆを有する。底板部１２ｃの下面の高さと底板部１２ｆの下面の高さは同じであり、底板部１２ｃの下面と底板部１２ｆの下面を電子楽器のフレームＦＲに当接させて固定することにより、この鍵盤装置が、電子楽器のフレームＦＲに支持される。上記の鍵支持部１３ｗ及び鍵支持部１３ｂは、上板部１２ａの上面から上方へ突出するように形成されている。鍵支持部１３ｂは、隣り合う鍵支持部１３ｗよりも後方に位置している。鍵支持部１３ｗ及び鍵支持部１３ｂは、それぞれ対向する２枚の板状に形成されていて、内側に対向する突出部１３ｗ１及び突出部１３ｂ１をそれぞれ備えている。突出部１３ｗ１及び突出部１３ｂ１は、貫通孔Ｋｗ及び貫通孔Ｋｂに嵌合している。これにより、白鍵１１ｗ及び黒鍵１１ｂは、突出部１３ｗ１及び突出部１３ｂ１回りに回転可能にそれぞれ支持され、貫通孔Ｋｗ及び貫通孔Ｋｂ並びに突出部１３ｗ１及び突出部１３ｂ１の中心軸を揺動中心として、前端部が上下方向にそれぞれ揺動可能となっている。突出部１３ｗ１及び突出部１３ｂ１の上下方向の位置は、全ての鍵支持部について共通である。つまり、全ての鍵の揺動中心の高さが共通である。白鍵１１ｗの見え掛り部の上面（又は、白鍵１１ｗの左右の稜線を含む平面）からその揺動中心までの上下方向の距離は、全ての白鍵１１ｗについて共通である。また、黒鍵１１ｂの操作部の上面（又は、黒鍵１１ｂの左右の稜線Ｒを含む平面）からその揺動中心までの上下方向の距離は、すべての黒鍵１１ｂについて共通である。
【００２０】
また、白鍵１１ｗの見え掛り部の中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。駆動部１１ｗ１の上下方向の長さは、全ての白鍵１１ｗについて共通である。一方、黒鍵１１ｂも白鍵１１ｗと同様の駆動部１１ｂ１を有する。ただし、駆動部１１ｂ１は、黒鍵１１ｂの見え掛り部の前端から下方へ延設され、かつ僅かに前方へ湾曲した連結部と、この連結部の先端から下方へ延設された垂直部からなる。垂直部の構成は、駆動部１１ｗ１と同様である。駆動部１１ｂ１の上下方向の長さも、すべての黒鍵１１ｂについて共通である。
【００２１】
白鍵１１ｗの前端から駆動部１１ｗ１までの前後方向の距離Ｌｗ１は、最高音の白鍵１１ｗ（すなわち、複数の白鍵１１ｗのうちで最も短い鍵）の前端から貫通孔Ｋｗまでの距離Ｌｗ２の３０％以内である。距離Ｌｗ１は、全ての白鍵１１ｗについて共通である。また、黒鍵１１ｂの見え掛り部の前端から駆動部１１ｂ１までの前後方向の距離Ｌｂ１は、最高音の黒鍵１１ｂ（すなわち、複数の黒鍵１１ｂのうちで最も短い鍵）の見え掛り部の前端から貫通孔Ｋｂまでの距離Ｌｂ２の３０％以内である。距離Ｌｂ１は、全ての黒鍵１１ｂについて共通である。そして、白鍵１１ｗ及び黒鍵１１ｂの離鍵状態において、駆動部１１ｗ１と駆動部１１ｂ１の前後方向の位置は同一である。すなわち、駆動部１１ｗ１及び駆動部１１ｂ１は、黒鍵１１ｂの見え掛り部の前端よりも前方に位置しており、駆動部１１ｗ１及び駆動部１１ｂ１は、左右方向に並設されている。
【００２２】
前板部１２ｂと前板部１２ｄとの間に設けられた上方に開口した開口部内にて、駆動部１１ｗ１及び駆動部１１ｂ１の下端部が、ハンマー１６ｗ及びハンマー１６ｂの前端部にそれぞれ係合している。詳しくは後述するように、ハンマー１６ｗ及びハンマー１６ｂは、それぞれ係合している白鍵１１ｗ及び黒鍵１１ｂの揺動に連動して揺動する。
【００２３】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｂ２及び質量体１６ｂ３からなる。基部１６ｗ１及び基部１６ｂ１は、板状の部材であって、右側面から左側面に貫通する貫通孔Ｈｗ及び貫通孔Ｈｂをそれぞれ有する。上板部１２ａの下面には、下方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗとハンマー支持部１８ｂの前後方向の位置は全てのハンマー支持部１８ｗ及びハンマー支持部１８ｂについて同一である。突出部１８ｗ１及び突出部１８ｂ１の前後方向の位置は、全てのハンマー支持部１８ｗ及びハンマー支持部１８ｂについて同一である。割り当てられた音高が高い白鍵１１ｗのハンマー１６ｗのハンマー支持部１８ｗほど、突出部１８ｗ１が低い位置に設けられている。また、割り当てられた音高が高い黒鍵１１ｂのハンマー１６ｂのハンマー支持部１８ｂほど、突出部１８ｂ１が高い位置に設けられている。
【００２４】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。前板部１２ｂには、ハンマー１６ｗ及びハンマー１６ｂごとに、上下方向に長いスリット状の開口部１２ｂ１が設けられている。各ハンマー１６ｗ及びハンマー１６ｂの前端部は、開口部１２ｂ１を通って、前板部１２ｂよりも前方に突出している。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００２５】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、連結棒１６ｗ２及び連結棒１６ｂ２の後端には、次に説明する質量体１６ｗ３及び質量体１６ｂ３が組み付けられている。
【００２６】
質量体１６ｗ３及び質量体１６ｂ３は、板状に形成されている。質量体１６ｗ３及び質量体１６ｂ３は、前後方向に長い。質量体１６ｗ３及び質量体１６ｂ３は、その板厚方向が左右方向となるように連結棒１６ｗ２及び連結棒１６ｂ２に組み付けられている。離鍵状態において、質量体１６ｗ３の下面は、フレームＦＲの上面に対して傾斜しており、質量体１６ｗ３の下面の後側が前側よりも上方に位置している。また、離鍵状態において、質量体１６ｂ３の下面は、フレームＦＲの上面に対して傾斜しており、質量体１６ｂ３の下面の後側が前側よりも下方に位置している。また、押鍵状態において、質量体１６ｗ３及び質量体１６ｂ３の上面は、フレーム１２の上板部１２ａの下面と平行である。質量体１６ｗ３の外形は、全てのハンマー１６ｗについて共通である。また、質量体１６ｂ３の外形は、全てのハンマー１６ｂについて共通である。
【００２７】
上記のように、割り当てられた音高によって、鍵の支点の前後方向の位置が異なる。したがって、白鍵１１ｗの揺動中心から脚部Ｆｗ２と駆動部１１ｗ１とが係合（当接）する係合部Ｐｗ１までの距離は、割り当てられた音高によって異なる。また、黒鍵１１ｂの揺動中心から脚部Ｆｂ２と駆動部１１ｂ１とが係合（当接）する係合部Ｐｂ１までの距離も、割り当てられた音高によって異なる。さらに、白鍵１１ｗにおいては、押離鍵操作される可能性のある位置の前端である押離鍵操作位置Ｗ０が係合部Ｐｗ１よりも前方に位置するのに対して、黒鍵１１ｂにおいては、押離鍵操作される可能性のある位置の前端である押離鍵操作位置Ｂ０が係合部Ｐｂ１の後方に位置している。したがって、全てのハンマーについて質量体の質量が同一であれば、てこの原理によって、押離鍵操作位置Ｗ０，Ｂ０においては、低音部よりも中音部の鍵タッチ感が重く、中音部よりも高音部の鍵タッチ感がさらに重い。
【００２８】
また、この場合、各音域における白鍵１１ｗと黒鍵１１ｂの鍵タッチ感が統一されない。すなわち、鍵１１ｂの鍵タッチ感は隣り合う２つの白鍵１１ｗの鍵タッチ感に比べて重い。そこで、図６に示すように、質量体１６ｗ３及び質量体１６ｂ３の質量を鍵ごとに調整している。すなわち、音高順に質量体１６ｗ３及び質量体１６ｂ３の質量を表した特性曲線図において、質量体１６ｗ３の特性曲線と質量体１６ｂ３の特性曲線が右下がりの平行な曲線であって、質量体１６ｂ３の特性曲線が質量体１６ｗ３の特性曲線の下側に位置するように、質量体１６ｗ３及び質量体１６ｂ３の質量を調整している。これにより、図７に一点鎖線で示すように、押離鍵操作位置Ｗ０，Ｂ０における鍵タッチ感を、低音から高音へ向かうに従って徐々に軽くしている。したがって、図７に破線で示すように、押離鍵操作位置Ｗ０，Ｂ０からそれぞれ距離ｄだけ後方に位置する押離鍵操作位置Ｗ１，Ｂ１における鍵タッチ感も、低音から高音へ向かうに従って徐々に軽くなっている。ただし、割り当てられた音高が高い鍵ほど鍵の長さが短いので、押離鍵操作位置Ｗ０，Ｂ０における鍵タッチ感と、押離鍵操作位置Ｗ１，Ｂ１における鍵タッチ感との差は、低音から高音に向かうに従って大きくなる。すなわち、押離鍵操作位置の前後方向の違いによる鍵タッチ感の違いは、低音部において小さく、中音部において中程度であり、高音部において大きい。
【００２９】
白鍵１１ｗ及び黒鍵１１ｂの離鍵時には、ハンマー１６ｗ及びハンマーの１６ｂの自重により、ハンマー１６ｗ及びハンマー１６ｂの前端部がそれぞれ上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００３０】
鍵フレーム１２には、押鍵時にハンマー１６ｗ及びハンマー１６ｂの質量体１６ｗ３及び質量体１６ｂ３の上面に当接して、ハンマー１６ｗ及びハンマー１６ｂの後端部の上方への変位を規制することにより、白鍵１１ｗ及び黒鍵１１ｂの前端部の下方への変位を規制する下限ストッパ２０が設けられている。下限ストッパ２０は、ストッパレール２０ａ及び緩衝材２０ｂからなる。ストッパレール２０ａは、上板部１２ａの中間部の下面から下方へ突出していて、鍵の並び方向に平行に延設されている。ストッパレール２０ａは、鍵の並び方向に平行に延設されている。また、ストッパレール２０ａの各ハンマーとの当接部における前板部１２ａの下面からの突出量は左右方向に一定である。そして、ストッパレール２０ａの下端面に緩衝材２０ｂが固着されている。緩衝材２０ｂは、ゴム、フエルトなどの衝撃吸収材によって構成した長尺状の部材である。緩衝材２０ｂは、一端から他端に至るまで断面形状が同一である。
【００３１】
また、フレームＦＲの中間部には、離鍵時に、ハンマー１６ｗ及びハンマー１６ｂの質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する上限ストッパ２１が設けられている。上限ストッパ２１は、下限ストッパ２０と同様に、ストッパレール２１ａ及び緩衝材２１ｂからなる。すなわち、ストッパレール２１ａは、鍵の並び方向に平行に延設されている。フレームＦＲからの突出量は、左右方向に一定である。そして、ストッパレール２１ａの上面に緩衝材２１ｂが固着されている。緩衝材２１ｂも、緩衝材２０ｂと同様に、一端から他端に至るまで断面形状が同一である。また、ストッパレール２０ａ及びストッパレール２１ａは、連続的に延設されていてもよいし、断続的に延設されていてもよい。また、ストッパレール２０ａ及びストッパレール２１ａは、それぞれ上板部１２ａ及びフレームＦＲと一体的に設けられていてもよいし、別部品として構成されていて、それぞれ上板部１２ａ及びフレームＦＲに組み付けられるようにしてもよい。
【００３２】
上記のように、割り当てられた音高が高い白鍵１１ｗのハンマー１６ｗのハンマー支持部１８ｗほど、突出部１８ｗ１が低い位置に設けられている。したがって、離鍵状態において、高音部側のハンマー１６ｗと駆動部１１ｗ１との係合部Ｐｗ１は、低音部側のハンマー１６ｗと駆動部１１ｗ１との係合部Ｐｗ１よりも下方に位置する。
【００３３】
また、上記のように、離鍵状態において、白鍵１１ｗは、前端よりも後端が低くなるように傾斜している。また、全ての白鍵１１ｗの駆動部１１ｗ１の上下方向の長さが同一である。また、全ての白鍵１１ｗの揺動中心の高さが同一である。したがって、離鍵状態における係合部Ｐｗ１の上下方向の位置が同一である場合には、前後方向の長さが短い白鍵１１ｗほど、前端の位置が高くなってしまう。そこで、本実施形態においては、割り当てられた音高が高い白鍵１１ｗのハンマー１６ｗのハンマー支持部１８ｗほど、突出部１８ｗ１を低い位置に設けることにより、高音部側の白鍵１１ｗの係合部Ｐｗ１が低音部側の白鍵１１ｗの係合部Ｐｗ１よりも下方に位置するようにして、全ての白鍵１１ｗの前端の高さを揃えている。つまり、白鍵１１ｗの長さに応じて、突出部１８ｗ１の上下方向の位置を設定することにより、離鍵状態における全ての白鍵１１ｗの前端の高さを揃えている。
【００３４】
また、上記のように、割り当てられた音高が高い黒鍵１１ｂのハンマー１６ｂのハンマー支持部１８ｂほど、突出部１８ｂ１が高い位置に設けられている。したがって、離鍵状態において、高音部側のハンマー１６ｂと駆動部１１ｂ１との係合部Ｐｂ１は、低音部側のハンマー１６ｂと駆動部１１ｂ１との係合部Ｐｂ１よりも上方に位置する。
【００３５】
また、上記のように、離鍵状態において、黒鍵１１ｂは、前端よりも後端が低くなるように傾斜している。また、全ての黒鍵１１ｂの駆動部１１ｂ１の上下方向の長さが同一である。また、全ての黒鍵１１ｂの揺動中心の高さが同一である。したがって、離鍵状態における係合部Ｐｂ１の上下方向の位置が同一である場合には、前後方向の長さが短い黒鍵１１ｂほど、前端の位置が低くなってしまう。そこで、本実施形態においては、割り当てられた音高が高い黒鍵１１ｂのハンマー１６ｂのハンマー支持部１８ｂほど、突出部１８ｂ１を高い位置に設けることにより、高音部側の黒鍵１１ｂの係合部Ｐｂ１が低音部側の黒鍵１１ｂの係合部Ｐｂ１よりも上方に位置するようにして、全ての黒鍵１１ｂの前端の高さを揃えている。つまり、黒鍵１１ｂの長さに応じて、突出部１８ｂ１の上下方向の位置を設定することにより、離鍵状態における全ての黒鍵１１ｂの前端の高さを揃えている。
【００３６】
また、隣接する２つの白鍵１１ｗ及び前記２つの白鍵１１ｗの間に位置する黒鍵１１ｂが離鍵されている状態において、前記黒鍵１１ｂの稜線Ｒが、前記２つの白鍵１１ｗのうちの低音部側の白鍵１１ｗの上面よりも下方に位置しており、かつ前記２つの白鍵１１ｗのうちの高音部側の白鍵１１ｗの上面よりも上方に位置するように、各ハンマーの揺動角度が設定されている。
【００３７】
白鍵１１ｗ及び前記白鍵１１ｗに隣接する黒鍵１１ｂが同一の押鍵力でそれぞれ押鍵されて、それらの揺動がそれぞれ規制された状態において、黒鍵１１ｂの稜線Ｒが、前記白鍵１１ｗの上面よりも下方に位置するように、各ハンマーの揺動角度が設定されている。なお、緩衝材２０ｂ及び緩衝材２１ｂは、弾性を有する。したがって、押鍵時にハンマーが緩衝材に当接した後、さらに鍵を下方へ押すと、緩衝材が弾性変形するので、鍵の前端は下方へ僅かに変位する。
【００３８】
また、白鍵１１ｗ及び黒鍵１１ｂの中間部の下面には、スイッチ駆動部ＡＣ１が設けられている。スイッチ駆動部ＡＣ１は、白鍵１１ｗ及び黒鍵１１ｂの内部にて上下方向に延設された板状の部分であり、スイッチ駆動部ＡＣ１の下端面が、スイッチＳＷ１の上面に当接している。スイッチＳＷ１は、鍵ごとに設けられ、鍵によって押圧されて、各鍵の押離鍵状態を検出する。すなわち、スイッチＳＷ１は、鍵によって押圧されると、ゴム製の本体部が変形して、回路基板２３上に形成された２つの接点を短絡することにより、ＯＦＦ状態からＯＮ状態に変化する。回路基板２３は、左右方向に延設されている。回路基板２３には、上面から下面に貫通した貫通孔が設けられている。この貫通孔は、上板部１２ａの上面に一体的に形成されたボス２４に対応している。この貫通孔にねじを通してボス２４にねじ込むことにより、回路基板２３が、鍵フレーム１２に固定される。各鍵にそれぞれ対応した複数のスイッチＳＷ１の前記本体部が、回路基板２３の上面に左右方向に並設されている。白鍵１１ｗ用のスイッチＳＷ１と黒鍵１１ｂ用のスイッチＳＷ１の前後方向の位置が同一である。白鍵１１ｗの前端からスイッチＳＷ１までの前後方向の距離Ｌｗ３が、最高音の白鍵１１ｗの前端から貫通孔Ｋｗまでの距離Ｌｗ２の３０％以内であり、かつ黒鍵１１ｂの見え掛り部の前端からスイッチＳＷ１までの前後方向の距離Ｌｂ３が、最高音の黒鍵１１ｂの見え掛り部の前端から貫通孔Ｋｂまでの距離Ｌｂ２の３０％以内である。なお、白鍵１１ｗ用のスイッチＳＷ１と黒鍵１１ｂ用のスイッチＳＷ１をそれぞれ左右方向に並設しておき、両者の前後方向の位置をずらしてもよい。
【００３９】
また、前板部１２ｄの上端面から上方に突出するようにして、白鍵１１ｗの揺動をガイドするための鍵ガイド２５ｗが形成されている。鍵ガイド２５ｗは、白鍵１１ｗに下方から侵入しており、押離鍵時に鍵ガイド２５ｗの側面と白鍵１１ｗの側壁の内側の面が摺接するようになっている。これにより、押離鍵時の白鍵１１ｗの左右方向の微少な変位を抑制している。
【００４０】
また、上板部１２ａの前端部の上面から上方に突出するようにして、黒鍵１１ｂの揺動をガイドするための鍵ガイド２５ｂが形成されている。鍵ガイド２５ｂは、黒鍵１１ｂに下方から侵入しており、押離鍵時に鍵ガイド２５ｂの側面と黒鍵１１ｂの側壁の内側の面が摺接するようになっている。これにより、押離鍵時の黒鍵１１ｂの左右方向の微少な変位を抑制している。
【００４１】
上記のように構成した鍵盤装置によれば、離鍵状態における鍵の前端の高さを揃えたので、離鍵状態におけるアコースティックピアノの鍵盤装置の外観を模擬できる。また、鍵の支点部とフレームとの間に挟み込むスペーサの枚数、厚さなどを調整して鍵の前端の高さを揃えるアコースティックピアノの鍵盤装置と比較すると、生産性が高い。
【００４２】
また、白鍵１１ｗの見え掛り部の上面からその揺動中心までの距離は、全ての白鍵１１ｗについて共通であり、黒鍵１１ｂの本体部の上面からその揺動中心までの距離は、すべての黒鍵１１ｂについて共通である。したがって、例えば、白鍵１１ｗ及び黒鍵１１ｂの外形を成型加工した後の別工程において、貫通孔Ｋｗ，Ｋｂを設ける場合、この別工程を共通化して、鍵の生産性を向上させることができる。また、鍵支持部１３ｗ及び鍵支持部１３ｂの突出部１３ｗ１及び突出部１３ｂ１の上下方向の位置を、すべての鍵支持部１３ｗ及び鍵支持部１３ｂについて共通としたので、鍵を支持するフレームＦＲの設計が簡単である。また、フレームＦＲを加工し易く、精度を向上させることができる。
【符号の説明】
【００４３】
１１ｗ・・・白鍵、１１ｂ・・・黒鍵、１１ｗ１，１１ｂ１・・・駆動部、１２・・・鍵フレーム、１３ｗ，１３ｂ・・・鍵支持部、１６ｗ，１６ｂ・・・ハンマー、１６ｗ１，１６ｂ１・・・基部、１６ｗ２，１６ｂ２・・・連結棒、１６ｗ３，１６ｂ３・・・質量体、１８ｗ，１８ｂ・・・ハンマー支持部、２０・・・下限ストッパ、２１・・・上限ストッパ、Ｐｗ１，Ｐｂ１・・・係合部、ＦＲ・・・フレーム
【図１】
2014010375.tif 000003
【図２】
2014010375.tif 000004
【図３】
2014010375.tif 000005
【図４】
2014010375.tif 000006
【図５】
2014010375.tif 000007
【図６】
2014010375.tif 000008
【図７】
2014010375.tif 000009